(57)【要約】【課題】  カラー液晶表示装置の大画面、高輝度化における省電力化を図る。【解決手段】  赤、緑および青の各色の発光ダイオード１２Ｒ、１２Ｇおよび１２Ｂの組み合わせによって目的の色再現範囲を得るバックライト装置における発光ダイオードの輝度Ｌ−電流Ｉ特性が、非線形特性を有する発光ダイオードに関して高輝度を必要とする発光ダイオードに対する最大通電電流を、その最大規格通電電流より十分低い低通電電流に設定し、この発光ダイオードの発光色に関する目的とする光量を、個数の増加によって補償することによって省電力化のもとで、高輝度化を可能にする。【選択図】        図３
2006302582.tif 000002
【特許請求の範囲】
【請求項１】
多数の発光ダイオード組が配列され、該発光ダイオード組が、赤、緑および青の各色の発光ダイオードの組み合わせによって目的の色再現範囲を得るようになされたバックライト装置であって、
上記発光ダイオードの輝度Ｌ−電流Ｉ特性が非線形特性を有し、かつ発光ダイオードの発光色に関する光量の増大化を図る特定発光ダイオードに対する最大通電電流を、該特定発光ダイオードの最大規格通電電流より十分低い低通電電流に設定し、
該特定発光ダイオードの発光色の目的とする光量を、上記発光ダイオード組における上記特定発光ダイオードの個数の増加によって補償して成ることを特徴とするバックライト装置。
【請求項２】
上記特定発光ダイオードが、緑色発光ダイオードまたは／および青色発光ダイオードであることを特徴とする請求項１に記載のバックライド装置。
【請求項３】
上記特定発光ダイオードの低通電電流が、上記最大規格通電電流の６５％以下に選定されて成ることを特徴とする請求項１に記載のバックライト装置。
【請求項４】
上記特定発光ダイオードとして、その発光面積が、より大なる発光ダイオードを用いることを特徴とする請求項１に記載のバックライト装置。
【請求項５】
上記特定発光ダイオードが、発光面積が１．２４ｍｍ平方以上の発光ダイオードによって構成されたことを特徴とする請求項４に記載のバックライト装置。
【請求項６】
透過型の液晶表示パネルと、上記液晶表示パネルを背面側から白色光で照明するバックライト装置とを備えて成るカラー液晶表示装置であって、
上記バックライト装置が、多数の発光ダイオード組が配列され、該発光ダイオード組が、赤、緑および青の各色の発光ダイオードの組み合わせによって目的の色再現範囲を得るようになされたバックライト装置であって、
上記発光ダイオードの輝度Ｌ−電流Ｉ特性が非線形特性を有し、かつ発光ダイオードの発光色に関する光量の増大化を図る特定発光ダイオードに対する最大通電電流を、該特定発光ダイオードの最大規格通電電流より十分低い低通電電流に設定し、
該特定発光ダイオードの発光色の目的とする光量を、上記発光ダイオード組における上記特定発光ダイオードの個数の増加によって補償して成ることを特徴とするカラー液晶表示装置。
【発明の詳細な説明】
【技術分野】
【０００１】
本発明は、バックライト装置およびカラー液晶表示装置に関する。
【背景技術】
【０００２】
カラー液晶表示装置、例えば液晶ＴＶにおいて、バックライト装置として、赤Ｒ、緑Ｇ、青Ｂの各色の発光ダイオード（ＬＥＤ）の組み合わせによって白色光および色再現範囲の拡大、高輝度化を図ったカラー液晶ＴＶの製品化がなされた（例えば非特許文献１参照）。
このカラー液晶表示装置におけるバックライト装置としては、赤Ｒ、緑Ｇ、青Ｂの各色の発光ダイオード（ＬＥＤ）の組み合わせを選定することによって、輝度むら、色むら等の特性にすぐれたバックライト装置が構成される。
【０００３】
このバックライト装置としては、例えば視感度の高い緑ＧのＬＥＤ２個と、発熱によって発光効率の低下が起きやすい赤ＲのＬＥＤ２個と、青ＢのＬＥＤ１個の組み合わせによって目的の色再現範囲を得るようにした５シーケンシャルによる組を構成し、この組が多数組配列された構成とされる。
【０００４】
ところで、カラー液晶表示装置、例えばカラー液晶ＴＶにおいて、大画面、高輝度化の要求が高まっており、このために、従来においては、各ＬＥＤにおいて、できるだけ発光輝度を高めるように、通電電流を、各ＬＥＤにおいて許容される最大規格通電電流近傍まで高い電流を通電して輝度を上げるという方法が取られる方向にある。
【０００５】
ところが、このように通電電流を大とすることは、それ自体大電力を必要とすることはさることながら、ＬＥＤの発熱が大となることから、これによる寿命の低下、輝度の不安定性を回避するために、より大掛かりなファン等の設置が必要となり、この冷却のための電力消費の増大化が問題となる。
その上、例えば赤のＬＥＤに関しては、例えばＡｌＧａＩｎＰ系のＬＥＤを用いることによって、図１４Ａにその発光輝度Ｌ−電流Ｉ特性の概略図を示すように、直線性を有する特性を示すことから、通電電流の増加にほぼ比例して発光輝度を高めることができるものであるが、青および緑のＬＥＤに関しては、図１４Ｂに摸式的に発光輝度Ｌ−電流Ｉ特性を示すように、その特性は、非線形で、青のＬ−Ｉ特性は、（Ｌ０／Ｌ１）＝（Ｉ０／Ｉ１）α（ここで、α＝０．６５〜０．８５程度）の非線形特性を示し、緑のＬ−Ｉ特性は、（Ｌ０／Ｌ１）＝（Ｉ０／Ｉ１）α（ここで、α＝０．５５〜０．７５程度）の非線形特性を示性を有することから、通電電流が高い領域ではこれに比例した高い輝度を得ることができないことから、輝度を高めるには、上述したように、通電電流を、各ＬＥＤにおいて許容される最大規格通電電流近傍までの大電流を通電して輝度を上げるという方法が取られる。したがって、その電力効率は低く、省電力化を阻害する。
【非特許文献１】日経エレクトロニクス（日経ＢＰ社）、2004年12月20日号（第 889号）第123〜130頁
【発明の開示】
【発明が解決しようとする課題】
【０００６】
上述したように、カラー液晶表示装置、例えばカラー液晶ＴＶにおいて、大画面、高輝度化を図る場合、従来の方法においては、その電力消費が膨大となって、地球環境の問題から、省電力化の要求が高まっている昨今、きわめて大きな問題となるところである。
特に、輝度の向上を図る場合、視感度の高い緑の発光ダイオードにおいて、高い輝度を得るようになされるが、この場合の消費電力の無駄が問題となる。
本発明は、結果的に電力消費を効果的に抑制して、目的とするする上述した大画面、高輝度化を図ることができるようにしたバックライト装置およびカラー液晶表示装置を提供するものである。
【課題を解決するための手段】
【０００７】
本発明によるバックライト装置は、多数の発光ダイオード組が配列され、該発光ダイオード組が、赤、緑および青の各色の発光ダイオードの組み合わせによって目的の色再現範囲を得るようになされたバックライト装置であって、上記発光ダイオードの輝度Ｌ−電流Ｉ特性が非線形特性を有し、かつ発光ダイオードの発光色に関する光量の増大化を図る特定発光ダイオードに対する最大通電電流を、該特定発光ダイオードの最大規格通電電流より十分低い低通電電流に設定し、該特定発光ダイオードの発光色の目的とする光量を、上記発光ダイオード組における上記特定発光ダイオードの個数の増加によって補償して成ることを特徴とする。
【０００８】
また、本発明は、上記バックライト装置にあって、上記特定発光ダイオードが、緑色発光ダイオードまたは／および青色発光ダイオードであることを特徴とする。
【０００９】
本発明によるカラー液晶表示装置は、透過型の液晶表示パネルと、上記液晶表示パネルを背面側から白色光で照明するバックライト装置とを備えて成るカラー液晶表示装置であって、上記バックライト装置が、多数の発光ダイオード組が配列され、該発光ダイオード組が、赤、緑および青の各色の発光ダイオードの組み合わせによって目的の色再現範囲を得るようになされたバックライト装置であって、上記発光ダイオードの輝度Ｌ−電流Ｉ特性が非線形特性を有し、かつ発光ダイオードの発光色に関する光量の増大化を図る特定発光ダイオードに対する最大通電電流を、該特定発光ダイオードの最大規格通電電流より十分低い低通電電流に設定し、該特定発光ダイオードの発光色の目的とする光量を、上記発光ダイオード組における上記特定発光ダイオードの個数の増加によって補償して成ることを特徴とする。
【発明の効果】
【００１０】
上述の本発明構成においては、輝度Ｌ−電流Ｉ特性が非線形特性を示す発光ダイオード、具体的には、緑色発光ダイオードや、青色発光ダイオードに関わる色光についての光量を高める構成とする場合において、通常におけるような、発光ダイオードに対する通電量Ｉを最大規格電流値近傍の発光効率の増加が低い領域にまで上げるという方法によらずに、この最大規格通電電流値より十分低く、発光効率増加が比較的高い特性を示し通電電流を高めることによる輝度を高めることができる領域での電流値の設定を行って、これによる目的とする輝度に満たない光量の不足分を、この色光の発光ダイオードの個数の増加によって補償するものである。
【００１１】
このように、本発明においては、非線形特性が故に、輝度を高めても輝度の増加が十分得られず、電力の利用効率が低く、著しい発熱を引き起こす領域での通電量での使用を回避し、発光効率が高く、通電が大きな発熱を引き起こす状態での使用を回避するものである。したがって、目的の光量の増加を、発光ダイオードの個数の増加によって補償するにもかかわらず、個々の発光ダイオードに関しての通電電流が低く抑えられていることからバックライト装置としての発熱を抑制できるものである。
【００１２】
したがって、高輝度のバックライト装置を構成する場合において、発光ダイオードに発光効率の悪い高い電流領域の通電における著しい発熱を回避できることから、発光ダイオードの総数を増加させても、高輝度のバックライト装置全体としての発熱の低減を実現できる。これにより、冷却ファンなどの冷却手段のパワーの低減化、つまり放熱効果を高める大掛かりな冷却装置の設置が回避され、バックライト装置の駆動電力の省電力化を効果的に図ることができた。
さらに、後述するところから明らかなように、発光ダイオードの駆動電圧は、電流の減少に伴って低下することが究明されたことから、より省電力化が図られる。
【発明を実施するための最良の形態】
【００１３】
本発明によるバックライト装置と、これを用いて成る本発明によるカラー液晶表示装置の実施の形態例を例示する。しかしながら、本発明は、この実施の形態例に限定されるものではなことはいうまでもない。
本発明は、例えば図１に分解斜視図をもって示す構成の透過型のカラー液晶表示装置１００に適用することができる。この透過型カラー液晶表示装置１００は、透過型のカラー液晶表示パネル１１０と、このカラー液晶表示パネル１１０の背面側に設けられたバックライト装置１４０とからなる。
また、図示しないが、この透過型カラー液晶表示装置１００は、地上波や衛星波を受信するアナログチューナー、デジタルチューナー等による受信部、この受信部で受信した映像信号、音声信号をそれぞれ処理する映像信号処理部、音声信号処理部、音声信号処理部で処理された音声信号を出力する例えばスピーカによる音声信号出力部などを具備する構成とすることができる。
【００１４】
透過型のカラー液晶表示パネル１１０は、ガラス等で構成された２枚の透明な基板（ＴＦＴ基板１１１、対向電極基板１１２）を互いに対向配列させ、その間隙に、例えば、ツイステッドネマチック（ＴＮ）液晶を封入した液晶層１１３を設けた構成となっている。ＴＦＴ基板１１１には、マトリックス状に配列された信号線１１４と、走査線１１５と、この信号線１１４、走査線１１５の交点に配列されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８およびカラーフィルタ１１９が形成されている。
【００１５】
カラーフィルタ１１９は、各画素に対応した複数のセグメントに分割されている。例えば、図２に示すように、３原色である赤色フィルタＣＦＲ、緑色フィルタＣＦＧ、青色フィルタＣＦＢの３つのセグメントに分割されている。カラーフィルタ１１９の配列パターンは、図２に示すようなストライプ配列の他に、図示しないが、デルタ配列、正方配列などがある。
【００１６】
透過型カラー液晶表示装置１００は、図１に示すように、このような構成の透過型のカラー液晶表示パネル１１０を２枚の偏光板１３１，１３２で挟み、バックライト装置１４０により背面側から白色光を照射した状態で、アクティブマトリックス方式で駆動することによって、所望のフルカラー映像を表示させることができる。
バックライト装置１４０は、カラー液晶表示パネル１１０を背面側から白色光を照射する構成とされている。
【００１７】
バックライト装置１４０は、図３に、概略構成図を示すように、筐体部１２０内に、それぞれ赤、緑および青の色光を発光する発光ダイオードを有して成る各発光ダイオード２１Ｒ、２１Ｇ、および２１Ｂが、所要の組み合わせおよび配列によって構成した、複数組の発光ダイオード群が配列されて成る。
そして図１に示すように、バックライト装置１４０は、上述した各色の発光ダイオードから出射された光を白色光として混色する拡散板１４１と、この拡散板１４１上に順次重ねて配置された、例えば拡散シート１４２、プリズムシート１４３、偏光変換シート１４４等による光学機能シート群１４５が配置された構成とされる。
【００１８】
拡散板１４１は、バックライト筐体部１２０から出射された発光ダイオード群からの光を内部拡散させることで、面発光における輝度の均一化を行う。
一般に、光学機能シート群は、例えば、入射光を直交する偏光成分に分解する機能、光波の位相差を補償して広角視野角化や着色防止を図る機能、入射光を拡散させる機能、輝度向上を図る機能などを備えたシートで構成されており、バックライト装置１４０から面発光された光をカラー液晶表示パネル１１０の照明に最適な光学特性を有する照明光に変換するために設けられている。したがって、光学機能シート群１４５の構成は、上述した拡散シート１４２、プリズムシート１４３、偏光変換シート１４４に限定されるものではなく、様々な光学機能シートを用いることができる。
【００１９】
赤、緑および青の各発光ダイオードは、それぞれその発生ピーク波長が、６４０ｎｍ、５３０ｎｍ、および４５０ｎｍ程度を有する発光半導体ダイオードを用いることができる。
赤色発光ダイオード２１Ｒは、例えばＡｌＧａＩｎＰ系の半導体発光ダイオードによって構成し、緑および青の発光ダイオード２１Ｇおよび２１Ｂは、それぞれ例えばＩｎＧａＮ系の半導体発光ダイオードによって構成することができる。  
発光ダイオード２１（発光ダイオードＲ，ＧおよびＢ）は、例えば半導体発光ダイオードチップの面方向に光を放射するレンズ機能を具備するサイドエミッティングタイプによる構成とすることができる。
【００２０】
バックライト筐体部１２０の内壁面１２０ａは、発光ダイオード２１から発光された光の利用効率を高めるために反射加工がなされた反射面とされている。
【００２１】
図４は、透過型カラー液晶表示装置１００の組み立て状態における、図１のＸ−Ｘ線上の要部の断面図で、液晶表示装置１００を構成するカラー液晶表示パネル１１０は、透過型カラー液晶表示装置１００の外部筐体となる外部フレーム１０１と、内部フレーム１０２とによって、スペーサ１０３ａ，１０３ｂを介して挟み込むように保持される。また、外部フレーム１０１と、内部フレーム１０２との間には、ガイド部材１０４が設けられており、外部フレーム１０１と、内部フレーム１０２によって挟まれたカラー液晶表示パネル１１０が長手方向へのずれを抑制する構成とされている。
【００２２】
一方、透過型カラー液晶表示装置１００を構成するバックライト装置１４０は、上述した光学機能シート群１４５が積層された拡散板１４１を備えている。
また、拡散板１４１と、バックライト筐体部１２０との間には、反射シート１２６が配されている。
反射シート１２６は、その反射面が、拡散板１４１の光入射面１４１ａと対向するように、且つ発光ダイオード２１の発光方向よりもバックライト筐体部１２０側となるように配されている。反射シート１２６は、例えば、シート基材上に銀反射膜、低屈折率膜、高屈折率膜を順に積層することで形成された反射膜によって構成することができる。
また、反射シート１２６は、主に発光ダイオード２１から発光され、その放射角度分布によって下向きに放射された光や、バックライト筐体部１２０の反射加工を施され反射面とされた内壁面１２０ａにて反射された光などを反射する。
拡散板１４１は、バックライト筐体部１２０に設けられたブラケット部材１０８で保持される。
【００２３】
このような構成の透過型カラー液晶表示装置１００は、例えば、図５に示すような駆動回路２００により駆動される。
駆動回路２００は、カラー液晶表示パネル１１０や、バックライト装置１４０の駆動電源を供給する電源２１０、カラー液晶表示パネル１１０を駆動するＸドライバ回路２２０およびＹドライバ回路２３０、外部から供給される映像信号や、この透過型カラー液晶表示装置１００が具備する受信部（図示せず）で受信され、映像信号処理部で処理された映像信号が、入力端子２４０を介して供給されるＲＧＢプロセス処理部２５０、このＲＧＢプロセス処理部２５０に接続された画像メモリ２６０および制御部２７０、バックライト装置１４０を駆動制御するバックライト駆動制御部２８０などを有して成る。
【００２４】
この駆動回路２００において、入力端子２４０を介して入力された映像信号は、ＲＧＢプロセス処理部２５０により、クロマ処理などの信号処理がなされ、さらに、コンポジット信号からカラー液晶表示パネル１１０の駆動に適したＲＧＢセパレート信号に変換されて、制御部２７０に供給されるとともに、画像メモリ２６０を介してＸドライバ２２０に供給される。
また、制御部２７０は、上記ＲＧＢセパレート信号に応じた所定のタイミングで、Ｘドライバ回路２２０およびＹドライバ回路２３０を制御して、上記画像メモリ２６０からの映像信号とともにＸドライバ回路２２０に供給されるＲＧＢセパレート信号で、カラー液晶表示パネル１１０を駆動することにより、上記ＲＧＢセパレート信号に応じた映像を表示する。
【００２５】
バックライト駆動制御部２８０は、電源２１０から供給される電圧から、パルス幅変調（ＰＷＭ）信号を生成し、バックライト装置１４０の光源である各発光ダイオード２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード２１を駆動し、色の変化を抑える必要がある。
ユーザインターフェース３００は、上述した図示しない受信部で受信するチャンネルを選択したり、同じく図示しない音声出力部で出力させる音声出力量を調整したり、カラー液晶表示パネル１１０を照明するバックライト装置１４０からの白色光の輝度調節、ホワイトバランス調節などを実行するためのインターフェースである。
例えば、ユーザインターフェース３００から、ユーザが輝度調節をした場合には、駆動回路２００の制御部２７０を介してバックライト駆動制御部２８０に輝度制御信号が伝わる。バックライト駆動制御部２８０は、この輝度制御信号に応じて、パルス幅変調信号のデューティ比を、赤色発光ダイオード２１Ｒ、緑色発光ダイオード２１Ｇ、青色発光ダイオード２１Ｂ毎に変えて、赤色発光ダイオード２１Ｒ、緑色発光ダイオード２１Ｇ、青色発光ダイオード２１Ｂを駆動制御することになる。
【００２６】
上述した各色の発光ダイオード（ＬＥＤ）の配列は、基本構成としては、それぞれ１個の赤、緑および青のＬＥＤを１組とする３シーケンシャルと呼称する方式をとることも、あるいは、１個の赤色ＬＥＤ２１Ｒと、２個の緑色ＬＥＤ２１Ｇと、１個の青色のＬＥＤ２１Ｂを組とする４シーケンシャルと呼称する方式をとることも、更にあるいは、冒頭に述べたように、この４シーケンシャルに１個の赤色ＬＥＤ光を加えて１組とした５シーケンシャル方式によることができる。
赤色のＬＥＤ２１Ｒは、例えばＡｌＧａＩｎＰ系の半導体ＬＥＤを用いることができ、緑および青のＬＥＤ２１Ｇおよび２１Ｂは、ＩｎＧａＮ系の半導体ＬＥＤによって構成することができる。
【００２７】
ところで、冒頭でも述べたように、緑の視感度は最も高く、例えば青の視感度の７倍程度であることから、輝度を高める上で、緑の輝度を上げることが有効である。
しかし、Ｌ−Ｉ特性が非線形特性を示す緑、青のＬＥＤにおいて、例えば最大規格電流値が７００ｍＡのＬＥＤにおいて、この最大規格電流の６５％を越える電流では、その非線形特性によって発光効率が低下し、発熱など電力消費、また冷却ファンなどの大型化など電力消費の低減上、実用上好ましくなく、最大規格電流の６５％以下にとどめることが実用上望まれる。
【００２８】
。
図６は、チップサイズが１ｍｍ平方（１ｍｍタイプ）の緑のＬＥＤの輝度Ｌ−電流Ｉ特性の実測値で、図６によれば、発光効率は、電流が高くなるにつれて低下する。この場合においても最大規格通電電流の６５％以下の通電電流、望ましくは、２００ｍＡから３５０ｍＡ程度で使用する。
【００２９】
そして、図７は、この緑のＬＥＤにおいて、電圧Ｖ−電流Ｉ特性の実測値で、これによれば、電流が大となるにつれ、電圧が増加していることがわかる。したがって、図６および図７によれば、電流を大とするとき、電圧も高まることによって、両者の積による消費電力Ｐは、図８で示すように、著しく高くなる。
つまり、緑のＬＥＤにおいて、その電流値Ｉを小にとどめることは、電圧も低くなることによって効果的に省電力化が図られるものである。したがって、輝度の向上のために、視感度の高い緑の光量の増大化を図る場合、そのＬＥＤにおける通電電流を、例えば３００ｍＡにとどめて発光効率が比較的高い領域で駆動させて、この緑のＬＥＤの個数を増加させる。
例えば３シーケンシャル方式においては、例えば図３に示すように、緑のＬＥＤを２個とし、４シーケンシャル方式もしくは５シーケンシャル方式においては、例えば緑のＬＥＤを３個とすることによって、効率よい発光と、省電力化を図ることができ、また、大電流通電における発熱を回避できることから、バックライト装置全体としての温度上昇を回避できて、冷却ファン等の小型化を図ることができ、全体としての省電力化がなされる。
【００３０】
さらに、半導体レーザにおいて、そのチップサイズが、発光効率に大きな相違をもたらしていることがわかった。
図９は、緑のＬＥＤにおけるチップサイズ１．０ｍｍ平方のＬＥＤ（１ｍｍタイプ）の発光効率−電流特性の測定結果（◆印でプロット）と、チップサイズ１．２４ｍｍ平方（１．２４ｍｍタイプ）のＬＥＤの発光効率−電流特性の測定結果（■印でプロット）とを示した図である。これによれば、いずれのチップサイズにおいても電流が大になるにつれ、発光効率は低下するものの、チップサイズが大きい方の１．２４ｍｍ平方サイズのＬＥＤは、１．０ｍｍ平方のＬＥＤに比して高い発光効率を有することがわかる。
また、図１０は、緑のＬＥＤにおけるチップサイズ１．０ｍｍ平方のＬＥＤの発光効率−電力特性の測定結果（◆印でプロット）と、チップサイズ１．２４ｍｍ平方のＬＥＤの発光効率−電力特性の測定結果（■印でプロット）とを示した図である。これによれば、いずれのチップサイズにおいても電流が大になるにつれ、発光効率は低下するが、同一電力では、チップサイズが大きい方の１．２４ｍｍ平方サイズのＬＥＤの方が高い発光効率を有することがわかる。
【００３１】
更に、図１１は、これら緑のＬＥＤにおけるチップサイズ１．０ｍｍ平方のＬＥＤの輝度（Ｌ１．０）−電力特性と、チップサイズ１．２４ｍｍ平方のＬＥＤの（Ｌ１．２４）効率−電力特性とを対比図示したものである。これによれば、１Ｗの電力において、両ＬＥＤの輝度差（Ｌ１．２４）−（Ｌ１．０）は、９０２．１［ｃｄ／ｍ２］となり、チップサイズの大きいＬＥＤが輝度向上において有利であることがわかる。
【００３２】
そして、図１２、および図１３は、それぞれ同様の緑のＬＥＤにおけるチップサイズ１．０ｍｍ平方のＬＥＤの輝度とチップサイズ１．２４ｍｍ平方のＬＥＤの輝度比（Ｌ１．２４／Ｌ１．０）−電流特性、および輝度比（Ｌ１．２４／Ｌ１．０）−電力特性の測定結果を示す図である。
これら図１２および図１３によって、ＬＥＤのチップサイズが大きい方が有利であることがわかる。
【００３３】
なお、上述したところは、主として緑の輝度を上げる場合について説明したものであるが、青のＬＥＤは、発光特性に劣り、電力消費が高いことから、これについても、所要の光量を得るのに、通電電流を抑えて青のＬＥＤの使用数をもって所要の光量を得るようにすることができる。
【図面の簡単な説明】
【００３４】
【図１】本発明によるカラー液晶表示装置の一実施形態例の分解斜視図である。
【図２】本発明によるカラー液晶表示装置の一実施形態例におけるカラーフィルタの配列パターンを示す図である。
【図３】本発明によるカラー液晶表示装置の一実施形態例におけるバックライト装置の配置状態を示す図である。
【図４】透過型カラー液晶表示装置の組み立て状態における、図１のＸ−Ｘ線上の要部の断面図である。
【図５】透過型カラー液晶表示装置の一実施形態例における駆動回路である。
【図６】緑のＬＥＤの輝度Ｌ−電流Ｉ特性曲線図である。
【図７】緑のＬＥＤの電圧Ｖ−電流Ｉ特性曲線図である。
【図８】緑のＬＥＤの電力Ｗ−電流Ｉ特性曲線図である。
【図９】異なるサイズの緑のＬＥＤの発光効率−電流特性曲線図である。
【図１０】異なるサイズの緑のＬＥＤの発光効率−電力特性曲線図である。
【図１１】異なるサイズの緑のＬＥＤの輝度−電力特性曲線図である。
【図１２】異なるサイズの緑のＬＥＤの輝度比−電流特性曲線図である。
【図１３】異なるサイズの緑のＬＥＤの輝度比−電力特性曲線図である。
【図１４】ＡおよびＢは、赤、および青と緑のＬＥＤの輝度−電流特性の模式図である。
【符号の説明】
【００３５】
２１Ｒ、２１Ｇ、および２１Ｂ……赤、緑および青の発光ダイオード、１００……透過型カラー液晶表示装置、１１０……カラー液晶表示パネル、１１１……ＴＦＴ基板、１１２……対向電極基板、１１３……液晶層、１１４……信号線、１１５……走査線、１１６……薄膜トランジスタ、１１７……画素電極、１１８……対向電極、１１９……カラーフィルタ、１２０……筐体部、１４０……バックライト装置、１４１……拡散板、１４２……拡散シート、１４３……プリズムシート、１４４……偏光変換シート、１４５……光学機能シート群
【図１】
2006302582.tif 000003
【図２】
2006302582.tif 000004
【図３】
2006302582.tif 000005
【図４】
2006302582.tif 000006
【図５】
2006302582.tif 000007
【図６】
2006302582.tif 000008
【図７】
2006302582.tif 000009
【図８】
2006302582.tif 000010
【図９】
2006302582.tif 000011
【図１０】
2006302582.tif 000012
【図１１】
2006302582.tif 000013
【図１２】
2006302582.tif 000014
【図１３】
2006302582.tif 000015
【図１４】
2006302582.tif 000016